(57)【要約】  【課題】  頻繁な保守点検、部材交換の必要がなく、簡易構造で製造が容易なダンパ機能を備えたトロリ線の吊架装置を提供する。  【解決手段】  吊架装置１は、吊架線Ｍに連結されるハンガ３とトロリ線Ｔを把持するイヤー４との間にダンパ２を有する。ダンパ２のシリンダ５内に、可動部材６が挿入される。可動部材６からロッド７が延出し、シリンダ５の一端から出入り自在に突出する。シリンダ５と可動部材６との間にばね８が介設される。可動部材６に、ばね部材１０を介して摩擦部材９が支持される。摩擦部材９は、常時シリンダ５の内面に圧接され、シリンダ５と可動部材６との相対変位、すなわちトロリ線Ｔの上下振動を摩擦抵抗により制動する。【選択図】  図１
2012116418.tif 000002
【特許請求の範囲】
【請求項１】
一端側がトロリ線又はこのトロリ線の上方の吊架線のいずれか一方に連結され、他端側に開口を有するシリンダと、
このシリンダ内に軸線方向に相対移動自在に挿入され、一端側に前記シリンダの他端側の開口を貫通してシリンダの外方へ伸び、外方端が前記吊架線又はトロリ線の他方に連結されるロッドを備えた可動部材と、
前記シリンダ内に配置され、一端がシリンダの一端側に係止され、他端が前記可動部材に係止され、シリンダと可動部材との伸長方向の相対変位に伴う圧力を吸収する圧縮ばねと、
前記可動部材にばね部材を介して支持され、ばね力により前記シリンダの内面に圧接される摩擦部材とを具備し、
前記摩擦部材と前記シリンダとの摩擦抵抗により、前記可動部材とシリンダとの相対移動を制動することを特徴とするトロリ線の吊架装置。
【請求項２】
前記ばね部材は、一端側が可動部材に前記軸線直交方向に保持され、他端側が前記シリンダの半径方向外側へ前記摩擦部材を予圧する圧縮ばねであり、
前記摩擦部材は、前記圧縮ばねの他端側に係止されることを特徴とする請求項１に記載のトロリ線の吊架装置。
【請求項３】
前記ばね部材は、一端が可動部材に固定され、シリンダの軸線方向へ延び、他端側がシリンダの半径方向外側へ前記摩擦部材を予圧する板ばねであり、
前記摩擦部材は、前記板ばねの他端側に係止されることを特徴とする請求項１に記載のトロリ線の吊架装置。
【発明の詳細な説明】
【技術分野】
【０００１】
本発明は、電車線の吊架方式架線構造において、吊架線又は補助吊架線の下に、電車のパンタグラフが摺動するトロリ線を吊り持つ吊架装置に関し、特にパンタグラフ通過時のトロリ線の振動を吸収するダンパの機能を有するものに係る。
【背景技術】
【０００２】
電車線の吊架方式架線構造では、吊架線から垂下するハンガイヤーと称される吊架装置により、電車のパンタグラフが摺動するトロリ線が吊支される。吊架装置は、延線方向の所定の間隔、例えば約５ｍおきに設けられ、これにより、トロリ線をレールにほぼ平行になるように吊っている。このような架線構造においては、パンタグラフ通過時のトロリ線の振動がトロリ線とパンタグラフとの間の離線発生の原因となる。トロリ線の振動を抑制することは、トロリ線とパンタグラフ間の離線を低減し、電車の集電性能の向上に寄与し、またトロリ線の波状摩耗の発生防止にも効果があることが知られている。特に高速運転の場合、トロリ線の振動を抑制することは重要である。
従来、トロリ線の振動に対してばね圧と摩擦抵抗とによるダンパ機能を持つ防振型のトロリ線吊架装置が知られている（特許文献１）。この架線構造では、補助吊架線に吊られるシリンダ内に、ピストンとばねとが挿入される。ピストンは、シリンダの軸線方向にばね圧を受ける。シリンダとの摩擦抵抗による振動吸収機能を持つピストンリングが、ピストンに付設される。ピストンロッドにトロリ線が結合され、補助吊架線の下方にトロリ線が吊られる。
また、同じく防振型のトロリ線吊架装置として特許文献２に記載のものがある。この吊架装置では、吊架線に吊られるケーシングの下端部からピストンロッドが出入り自在に延出する。このピストンロッドの下端にトロリ線が吊り持たれる。ケーシング内には、筒状ハウジングが固定される。筒状ハウジングは、磁性体からなり、軸線方向のスロットを有し、半径方向に収縮可能である。このハウジング内にピストンが挿入され、ピストンとケーシングとの間には、圧縮ばねが介設される。ピストンは、シリンダの軸線方向にばね圧を受ける。ピストンには、永久磁石による磁気吸着部が設けられる。ピストンの磁気吸着部がハウジングの内周に磁気吸着し、ハウジングが収縮する。ばねにより、吊架線とトロリ線との間の上下振動に伴う圧力を吸収し、ピストンとハウジングとの摩擦抵抗により、振動を制動する。
【先行技術文献】
【特許文献】
【０００３】
【特許文献１】特開平06-171402号公報
【特許文献２】特開2003-080976号公報
【発明の概要】
【発明が解決しようとする課題】
【０００４】
上記従来のトロリ線吊架装置のうち、前者においては、ピストンリングが摩耗すると十分な摩擦制動力が得られなくなるので、比較的頻繁な保守点検及びピストンリング等の部材の交換を必要とする。また、シリンダとピストンとの間の所定の摩擦抵抗を得るために、構成部材間の高度な機械的精度が要求される結果、製作が容易でなく、また高価になるという問題点がある。
後者においては、磁性材の摩耗を考慮した保守点検及び交換の必要があり、またスロットを備えたハウジングや永久磁石等の追加部材が構造を複雑化するし、ハウジングとピストンとの所定の摩擦抵抗を得るために適切な磁力を備えた永久磁石を調達することが難しい結果、製作が容易でなく、高価になる難点がある。
従って、本発明は、頻繁な保守点検、部材交換の必要がなく、構造が比較的簡単で高度の機械的、物性的精度を必要としないために製造が容易で、安価に得られるダンパ機能を備えたトロリ線の吊架装置を提供することを目的としている。
【課題を解決するための手段】
【０００５】
以下、図面を参照して説明するが、本発明はこれに限定されるものではない。上記課題を解決するための、この発明の吊架装置は、一端側がトロリ線Ｔ又はこのトロリ線Ｔの上方の吊架線Ｍのいずれか一方に連結され、他端側に開口を有するシリンダ５を具備する。このシリンダの内部に、可動部材６が軸線方向に相対移動自在に挿入される。この可動部材６から延出するロッド７は、シリンダ５の他端側の開口を貫通してシリンダ５の外方へ伸び、外方端が吊架線Ｍ又はトロリ線Ｔの他方に連結される。ばね８がシリンダ５内に設けられる。ばね８の一端は、シリンダ５の一端側に係止され、他端は可動部材６に係止される。可動部材５には、ばね部材１０を介して摩擦部材９が支持される。摩擦部材９は、ばね部材１０により、シリンダ５の内面に圧接される。摩擦部材９ｂとシリンダ５との摩擦抵抗により、可動部材６とシリンダ５との相対移動を抑制し、ばね８により、トロリ線Ｔの振動を吸収する。
ばね部材１０は、可動部材６に軸線直交方向に保持される圧縮ばねで構成することができる。
また、ばね部材１０は、一端が可動部材６に固定され、シリンダの軸線方向へ延び、他端側が摩擦部材をシリンダの半径方向外側へ予圧する板ばねで構成することができる。
【発明の効果】
【０００６】
本発明に係るトロリ線の吊架装置によれば、トロリ線Ｔの上下方向の振動がばねにより緩衝され、シリンダの内壁と摩擦部材との適切な摩擦接触により制動される。これにより、パンタグラフに対するトロリ線の離線率の低減を図り、またトロリ線の波状摩耗の発生を防止することができる。パンタグラフの振動が抑制されることにより、以下のような効果がある。金具の疲労・緩みが低減し、保安度及び集電性が向上する。パンタグラフの舟体に受ける衝撃力が小さくなるため、舟体を軽量化できる。以上の相乗効果で、車両の高速化に対応できる。摩擦部材がばね部材を介してシリンダの内壁に押し当てられるので、摩擦部材が磨耗しても、ほぼ一定のばね力により摩擦抵抗が自動的に調整されて、適切な振動抑制作用を維持することができ、これにより部材の摩耗を考慮した頻繁な保守点検、部材交換が必要ない。構造が比較的簡単で、高度の機械的、物性的精度を必要としないために、製造が容易であり、比較的安価に得られる。
【図面の簡単な説明】
【０００７】
【図１】本発明に係るトロリ線の吊架装置の縦断面図である。
【図２】図１のトロリ線の吊架装置の側面図である。
【図３】図１のトロリ線の吊架装置における可動部材の拡大縦断面図である。
【図４】図１におけるIV−IV線断面図である。
【図５】図１におけるV−V線断面図である。
【図６】他の実施形態に係るトロリ線の吊架装置の縦断面図である。
【図７】図６におけるVII−VII線断面図である。
【図８】図６の吊架装置における可動部材の縦断面図である。
【発明を実施するための形態】
【０００８】
本発明に係るトロリ線の吊架装置の実施の一形態を図面について説明する。
図１，図２において、トロリ線Ｔの上方に吊架線Ｍが架設される。図示しない電車のパンタグラフが、トロリ線Ｔの下面を摺動する。トロリ線Ｔの吊架装置１は、吊架線Ｍとトロリ線Ｔとの間に設けられ、吊架線Ｍの下方にトロリ線Ｔを吊支する。吊架装置１は、ダンパ２と、ダンパ２を吊架線Ｍに連結するハンガ３と、ダンパ２をトロリ線Ｔに結合するイヤー４とを具備する。
【０００９】
ダンパ２は、シリンダ５と、シリンダ５に挿入される可動部材６と、この可動部材６とシリンダ５の下端との間に挿入されるばね８と、可動部材６に支持される摩擦部材９と、可動部材６から延出するロッド７とを具備する。
【００１０】
シリンダ５はステンレス鋼製の管材から成り、一端側に引手５ｂ付きのふた５ａを有し、他端側に開口５ｄを備えたふた５ｃを有する。
【００１１】
図３ないし図５に示すように、可動部材６は、円柱状で、シリンダ５内に縦方向の軸線を一致させて軸線方向へ相対移動自在に挿入される。可動部材６には、上下に一対ずつ、合計４つの摩擦部材９が支持される。
【００１２】
すなわち、可動部材６には、上下に離れて２つの直径方向の保持孔６ａが貫通している。上下の保持孔６ａは互いに直交方向に形成される。保持孔６ａには、圧縮コイルばねのようなばね部材１０が挿入されると共に、このばね部材１０を両端側から圧縮する状態で、一対の摩擦部材９が挿入される。摩擦部材９は、ポリエチレンのような合成樹脂製で、ばね部材１０により、可動部材６の半径方向外側へ予圧され、その外側面が常時シリンダ５の内面に圧接される。
【００１３】
可動部材６から、それと同心的に延出するロッド７は、シリンダ５のふた５ｃの開口５ｄを貫通して外方へ延び、イヤー４に結合される。イヤー４は、一対のイヤー片４ａ,４ｂでトロリ線Ｔを挟み、ボルト４ｄにて締め付けることによってトロリ線Ｔを把持する。一方のイヤー片４ｂに設けられた接続筒４ｃが、ピン４ｅでロッド７の下端部に結合される。
【００１４】
ばね８は、シリンダ５内に配置され、それの一端がシリンダ５の、ばね受け座を兼ねたふた５ｃに係止され、他端が可動部材６に係止される。ばね８は、常時はトロリ線Ｔの吊り下げにより圧縮され、可動部材６を図１において上向きに押し上げている。したがって、ばね８は、ロッド７をシリンダ５内へ引き込む方向に常時付勢しており、トロリ線Ｔの最大押し上げ位置においてその最大伸張状態となるように設定される。
【００１５】
ハンガ３は、中間においてＵ字状に湾曲したステンレス鋼等の金属製帯板で構成される。ハンガ３は、両端部が、ボルト・ナット３ａにてシリンダ５の引手５ｂに結合され、湾曲部において保護カバーＣを介して吊架線Ｍに掛けられ、吊架線Ｍの直下においてハンガ３を貫通するピン３ｂにて止められる。ハンガの構造はこれに限定されない。
【００１６】
この実施形態に係る吊架装置１においては、図示しない電車のパンタグラフが通過すると、このパンタグラフはトロリ線Ｔを押し上げるから、トロリ線Ｔを吊っているロッド７が上昇する。ロッド７が上昇すると、ばね８が伸張し、可動部材６が押し上げられてシリンダ５内を上昇する。パンタグラフが通過してトロリ線Ｔの押し上げ力がなくなると、可動部材６の上昇が止まり、今度はトロリ線Ｔの荷重による下向きの力が作用するから可動部材６は、ばね８を圧縮してシリンダ５内を下降する。シリンダ５の内周には、摩擦部材９が、ばね部材１０に押されて、所定の圧力で接触している。従って、可動部材６が上昇、下降する間、シリンダ５との間に所定の摩擦抵抗が生じ、これがトロリ線の制振力として作用し、振動を減衰する。摩擦部材９とシリンダ５との摺動の繰り返しにより摩擦部材９が摩耗しても、摩擦部材９が、ばね部材１０により、常時ほぼ一定の力でシリンダ５に接触するので、長期にわたって一定の摩擦抵抗が得られる。シリンダ５と可動部材６との機械的精度が相対的に低くても、上記のような作用により長期にわたって一定の摩擦抵抗が得られる。
【００１７】
以上のように、ダンパ２が、トロリ線Ｔの上下方向の振動を吸収することにより、パンタグラフとトロリ線Ｔとの間の衝撃を緩和し、パンタグラフやトロリ線Ｔおよびトロリ線Ｔと吊架線Ｍとの間に用いられる各部品の損傷も軽減されることになる。
【００１８】
本発明の他の実施形態に係る吊架装置１１を図６ないし図８に示す。なお、先の実施形態における構成部分と同等の構成部分は同一符号を付して説明を省略する。
この吊架装置１１において、摩擦部材９を可動部材６に支持するばね部材２０は、板ばねからなる。板ばね２０は、可動部材６の周りに等間隔で４つ設けられる。各板ばね２０は、上端部において、ボルトで可動部材６に固着され、下方へ延出し、下部がシリンダ５の半径方向外側へ向かうばね力を蓄圧される。板ばね２０の自然形状は、図８に示すとおり、下端側がシリンダ５の半径方向外側へ開くように屈曲した形状である。したがって、板ばね２０の下端部に固着される摩擦部材９は、常時所定の圧力でシリンダ５の内周に圧接される。
従って、先の実施形態と同様に、パンタグラフによるトロリ線Ｔの押上げに伴い、可動部材６が上昇、下降する間、摩擦部材９とシリンダ５との間に所定の摩擦抵抗が生じ、これがトロリ線Ｔの振動を制動する。
【００１９】
なお、上記各実施形態におけるダンパ２は上下逆方向に取付け、ロッド７を吊架線Ｍに連結すると共に、シリンダ５をトロリ線Ｔ側に連結しても、前記同様の効果を奏する。
【符号の説明】
【００２０】
１    吊架装置
２    ダンパ
３    ハンガ
４    イヤー
５    シリンダ
６    可動部材
７    ロッド
８    ばね
９    摩擦部材
１０    ばね部材
２０    ばね部材
Ｔ    トロリ線
Ｍ    吊架線
Ｃ    保護カバー
【図１】
2012116418.tif 000003
【図２】
2012116418.tif 000004
【図３】
2012116418.tif 000005
【図４】
2012116418.tif 000006
【図５】
2012116418.tif 000007
【図６】
2012116418.tif 000008
【図７】
2012116418.tif 000009
【図８】
2012116418.tif 000010